(57)【要約】【課題】  従来の構成に対してほとんど部品を付加することなく、原稿読み取り手段と画像読み取り手段との副走査方向に対する位置関係を簡単に調整可能とする画像読み取り装置を提供する。【解決手段】  原稿を搬送する原稿送り手段１０と、搬送される原稿を、所定の位置において露光し、画像を読み取るための画像読み取り手段１１を有する原稿読み取り装置において、前記原稿送り手段１０は前記画像読み取り手段１１に対して開閉可能でかつ前記画像読み取り手段１１の所定の取り付け部１９に固定され、この取り付け部１９は原稿搬送方向に移動可能である。【選択図】  図８
2007060171.tif 000002
【特許請求の範囲】
【請求項１】
原稿を搬送する原稿送り手段と、原稿送り手段により搬送される原稿を所定の位置において露光し、画像を読み取るための画像読み取り手段と、を有する原稿読み取り装置において、前記原稿送り手段は前記画像読み取り手段に対して開閉可能でかつ前記画像読み取り手段の所定の取り付け部に固定され、この取り付け部は原稿搬送方向に移動可能であることを特徴とする原稿読み取り装置。
【請求項２】
前記画像読み取り手段にて流し読みを行う露光位置の近傍、あるいは前記原稿送り手段の流し読みを行う露光位置の近傍に、前記画像読み取り手段と前記原稿送り手段との適正な位置関係を表示した部分を有することを特徴とする請求項１記載の原稿読み取り装置。
【発明の詳細な説明】
【技術分野】
【０００１】
本発明は、自動原稿給紙装置を搭載する複写機、ファクシミリ、スキャナ等に装備される原稿読み取り装置に関するものである。
【背景技術】
【０００２】
従来、事務機器の省スペース化という市場要求に伴い、原稿送り装置についても小型化への要求が高くなり、それに応えるためにより少ないスペースで原稿を読み取ることができる自動原稿給紙装置（以後、ＡＤＦと呼ぶ）が望まれている。
また、生産性を向上できることから、近年では露光装置を静止させ、原稿を所定の速度で搬送することによって画像を読み取る、いわゆるシートスルー方式による自動原稿給紙装置（以下、シートスルーＡＤＦと呼ぶ）の需要が広まっている。
ブック原稿などを読み取るためのモード（以下、圧板モードと呼ぶ）と、シートスルーＡＤＦによって画像を読取るためのモードとを両立させている原稿読み取り装置においては、スキャニングユニットを副走査方向に移動させることにより、それぞれ適切な読み取り位置に移動し、正確な読み取り性能を維持している。
通常、スキャニングユニットは、或る地点にホームポジションの場所があり、そこから所定の距離を移動することにより、スキャナ内部としては正確な位置出しが可能になっている。
これに対し、スキャナユニットに搭載されるＡＤＦは、圧板モードに際しての操作上の理由から開閉する構成になっており、なおかつ部品構成も複雑なため、部品の積み上げ誤差などの理由からスキャナに対するＡＤＦの読み取り部分の正確な位置出しは困難であるのが現状である。
【発明の開示】
【発明が解決しようとする課題】
【０００３】
しかしながら、ＡＤＦの取り付け位置が、例えば、所定の位置から副走査方向にずれている場合、所定の原稿スパンが確保されずに原稿画像が乱れる場合がある。
また、原稿をコンタクトガラス面に押し付ける構造の場合、原稿位置がずれていると、想定された位置に原稿が搬送される時の読み取り位置がずれてしまって、コンタクトガラスにトナーをはじめとした異物が載ることによる画像上の黒すじ汚れとなる場合がある。また、読み取り開始タイミングがずれるため、原稿縦方向（副走査方向）のレジストが機械によってばらつく要因にもなる。
図１０は従来のＡＤＦのヒンジ取り付け部を示す概略図である。ＡＤＦとスキャナは、本発明の実施の形態の説明で後述するが、原稿送り装置側のヒンジをスキャナ側の取り付け部に取り付けることによって接続する。図１０において、符号２４のように取付け穴を長穴とすることにより、斜め取り付けに対しては補正が可能であるが、これでは副走査方向の調整を行うことは困難である。
そこで、本発明の目的は、上述した実情を考慮して、従来の構成に対してほとんど部品を付加することなく、原稿読み取り手段と画像読み取り手段との副走査方向に対する位置関係を簡単に調整可能とする画像読み取り装置を提供することにある。
【課題を解決するための手段】
【０００４】
上記の課題を解決するために、請求項１に記載の発明は、原稿を搬送する原稿送り手段と、搬送される原稿を、所定の位置において露光し、画像を読み取るための画像読み取り手段を有する原稿読み取り装置において、前記原稿送り手段は前画像記読み取り手段に対して開閉可能でかつ前記画像読み取り手段の所定の取り付け部に固定され、この取り付け部は原稿搬送方向に移動可能である原稿読み取り装置を特徴とする。
また、請求項２に記載の発明は、前記画像読み取り手段にて流し読みを行う露光位置の近傍、あるいは前記原稿送り手段の流し読みを行う露光位置の近傍に、前記画像読み取り手段と前記原稿送り手段の所望の位置関係を記した部分を有する請求項１記載の原稿読み取り装置を特徴とする。
【発明の効果】
【０００５】
本発明によれば、副走査方向に対してのＡＤＦの読み取り位置を、新たな部品を付加することなく、ヒンジ取り付け部の長穴を利用して、それに応じた読み取り位置までＡＤＦが移動可能な構成とすることにより、読み取り装置の性能を安定化させ、原稿読み取り手段（ＡＤＦ）と画像読み取り手段（スキャナ）との副走査方向に対する位置関係を調整可能にする。
【発明を実施するための最良の形態】
【０００６】
以下、図面を参照して、本発明の実施の形態を詳細に説明する。図１はＡＤＦの基本的な構成を示す概略図である。図１において、ＡＤＦ１０は被読み取り原稿束をセットする原稿セット部１、セットされた原稿束から１枚ずつ原稿を分離して給送する分離給送部２、給送された原稿を一次突き当て整合する働きと、整合後の原稿を引き出し搬送する働きのレジスト部３、搬送される原稿をターンさせて、原稿面を読み取り側（下方）に向けて搬送するターン部４から構成される。
更に、ＡＤＦ１０は原稿の表面画像を、読み取りガラス（コンタクトガラス）の下方より読み取りを行わせるために搬送する第１読み取り搬送部５、読み取り後の原稿の裏面画像を読みとるために搬送する第２読み取り搬送部６、表裏の読み取りが完了した原稿を機外または、反転部に送り込む排紙部７、再読み取りのための反転を行う反転部８、読み取り完了後の原稿を積載保持するスタック部９、これら搬送動作の駆動を行う各駆動部（図示せず）、さらに、一連の動作を制御するコントローラ部（図示せず）とから構成されている。
図２はスキャナを略示する上面図である。図３はＡＤＦの底面を示す概略斜視図である。図２及び図３において、本などのように流し読みのできない原稿は、コンタクトガラス１２の上に置いて露光する。また、読み取りガラス１６は、ＡＤＦ１０を使って原稿を送るときに用いる。
原稿読み取り装置は、原稿を所定の速度で搬送する原稿送り手段（ＡＤＦ）１０と、この原稿送り手段により所定の速度で搬送される原稿を、所定の位置において露光し、画像を読み取るための読み取り手段（スキャナ）１１を有している。
ＡＤＦ１０はスキャナ１１に対して開閉可能でかつスキャナ１１側に設けた所定の取り付け部１９によって固定される。
図２には、左スケール１３、長手方向スケール１５、ＡＤＦ１０を取り付けるヒンジ取り付け部１９の取り付けブラケット１９ａ、１９ｂ、ネジ穴１７ａ、１７ｂ、取り付け穴１８、段ネジ２０ａ、２０ｂが示してある。取り付けブラケット１９ａ、１９ｂ、すなわち、ヒンジ取り付け部１９は原稿搬送方向（図２の左右方向）に移動可能であるように構成される。
ＡＤＦ１０とスキャナ１１は、ＡＤＦ１０側のヒンジ２２ａ、２２ｂをスキャナ１１の取り付けブラケット１９ａ、１９ｂに取り付けることによって接続する。本実施の形態の場合は、取り付けブラケット１９ａ、１９ｂにおける段ネジ２０ａ、２０ｂにヒンジ２２ａ、２２ｂのだるま状の穴２５を引っ掛け、ネジ穴１７ａ、１７ｂとヒンジの位置決め穴２３を合わせてネジ締めする。
しかし、取り付け方法はこの方法に限定される必要はない。なお、本実施の形態においては、右ヒンジ側の取り付け用穴としての長穴２４と、取り付け穴１８を使って取り付ける（ネジ止めする）ことにより、斜め方向にも調整が可能な構成となっている。
【０００７】
図４はスキャナとヒンジ取り付け部を示す分解斜視図である。図５はヒンジ取り付け部をスキャナに取り付けた状態で示す斜視図である。図４及び図５において、ヒンジ取り付け部１９は、例えば、図４に示すような板金で構成され、スキャナ１１の取り付け面１１ａ上に取り付けられる。
図４及び図５には、さらに、コンタクトガラス１２、左スケール１３、長手方向スケール１５、読み取りガラス１６、スキャナにおける基準位置を示す指標１４が示してある。
図６はスキャナを略示する上面図である。図７はヒンジ取り付け部を示す上面図である。図６は図７の取り付け部を説明し易いように示したのみで図２と同じである。したがって、図６において、図２と同一部分には同一符号を付して説明は省略する。
ヒンジ取り付け部１９は、上から見ると、例えば図７のように、ネジ締め部の穴がすべて原稿搬送方向に移動可能とする長穴２６で構成されている。図７において、符号２７は長穴２６による調整範囲を示す目盛り２８の調整中心を示している。
したがって、必要な際には、長穴２６の移動可能部分の範囲、すなわち目盛り２８の範囲で調整を行うようになされている。ただし、工場出荷時は別途図示しない位置決め穴によって組まれていてもよい。
【０００８】
図８はスキャナ上に載置されたＡＤＦを示す概略図である。図９は図８のＢ部を示す詳細図である。本実施の形態におけるＡＤＦ１０とスキャナ１１との副走査方向への位置調整は、以下のとおりである。スキャナ１１における基準位置を示す指標１４（左スケール１３に形成）と、ＡＤＦ１０における原稿ガイド２１に設けた基準位置マーク（指標）２１ａは、それぞれの読み取り基準位置を示す。
スキャナ（画像読み取り手段）１１にて流し読みを行う露光位置の近傍、あるいはＡＤＦ１０の流し読みを行う露光位置の近傍に、スキャナ（画像読み取り手段）１１とＡＤＦ１０の所望の位置関係を表示した部分を有することにより、基準となる場所がすぐに解り、簡単に所望の位置関係からのずれ量を把握し、補正を行うことを可能にする。
指標１４、２１ａの位置は必ずしも本実施の形態のように読み取りガイド２１（ＡＤＦ１０側）、左スケール１３（スキャナ１１側）に設ける必要はないが、できるだけ読み取り基準位置に近いことが望ましい。
ＡＤＦ１０とスキャナ１１とが所定の読み取り位置関係にあるときに両者の指標１４、２１ａが一致するように設定しておくと、図８（詳細は図９）に示すように、ＡＤＦ１０の基準位置マーク（指標）２１ａとスキャナ１１の指標１４のギャップａ（図９）が取り付けのずれであるから、図７において、そのずれ分を取り付け部１９のネジ締め部の穴２６の範囲でシフトさせることにより、両者の位置関係を調整することができる。
【図面の簡単な説明】
【０００９】
【図１】ＡＤＦの基本的な構成を示す概略図である。
【図２】スキャナを略示する上面図である。
【図３】ＡＤＦの底部を示す概略斜視図である。
【図４】スキャナとヒンジ取り付け部を示す分解斜視図である。
【図５】ヒンジ取り付け部をスキャナに取り付けた状態で示す斜視図である。
【図６】スキャナを略示する上面図である。
【図７】ヒンジ取り付け部を示す上面図である。
【図８】スキャナ上に載置されたＡＤＦを示す概略図である。
【図９】図８のＢ部を示す詳細図である。
【図１０】ＡＤＦの従来のヒンジ取り付け部を示す概略図である。
【符号の説明】
【００１０】
１０  原稿送り手段（ＡＤＦ）、１１  原稿読み取り手段（スキャナ）、１４  指標、１９  取り付け部（ヒンジ取り付け部）、１９ａ  取り付けブラケット、１９ｂ  取り付けブラケット、２１  原稿ガイド、２１ａ  基準位置マーク（指標）、２２ａ  ヒンジ、２２ｂ  ヒンジ、２６  ネジ締め部の穴（長穴）
【図１】
2007060171.tif 000003
【図２】
2007060171.tif 000004
【図３】
2007060171.tif 000005
【図４】
2007060171.tif 000006
【図５】
2007060171.tif 000007
【図６】
2007060171.tif 000008
【図７】
2007060171.tif 000009
【図８】
2007060171.tif 000010
【図９】
2007060171.tif 000011
【図１０】
2007060171.tif 000012